(57)【要約】【課題】立体画像の撮影が可能な撮像装置において、外装ケースの温度上昇を防ぐことにより、使用者からの信頼性を高めることを目的とする。【解決手段】イメージセンサを有する撮像ユニット４、５を備えたカメラ本体と、前記カメラ本体を収容する外装ケースとを有する撮像装置であって、前記外装ケースの内面に蓄熱部材を分散させた蓄熱層２２を形成した構成とした。これにより、外装ケースの外面の温度上昇を抑制することができる。【選択図】図５
2014194439.tif 000002
【特許請求の範囲】
【請求項１】
イメージセンサを有する撮像ユニットを備えたカメラ本体と、前記カメラ本体を収容する外装ケースとを有する撮像装置であって、前記外装ケースの内面に蓄熱部材を分散させた蓄熱層を形成した構成、または前記外装ケースの内面もしくは外面に中空粒子を分散させた断熱層を形成した構成としたことを特徴とする撮像装置。
【請求項２】
イメージセンサを有する第１の撮像ユニットと第２の撮像ユニットを備えかつ前記第１の撮像ユニットと第２の撮像ユニットを間隔をあけて配置したカメラ本体と、前記カメラ本体を収容する外装ケースとを有する撮像装置であって、前記外装ケースの内面に蓄熱部材を分散させた蓄熱層を形成した構成、または前記外装ケースの内面もしくは外面に中空粒子を分散させた断熱層を形成した構成としたことを特徴とする撮像装置。
【請求項３】
前記蓄熱部材は、融点が雰囲気温度以上で使用者の体温以下の部材である請求項１または２に記載の撮像装置。
【発明の詳細な説明】
【技術分野】
【０００１】
本発明は、複数の視点から複数の撮像手段により撮影可能な撮像装置に関する。
【背景技術】
【０００２】
複数の視点から複数の撮像手段で撮影可能な撮像装置として、２個の光学系と２個の撮像素子を搭載したデジタルカメラが知られている（例えば、特許文献１参照）。
【０００３】
特許文献１に記載のデジタルカメラは、２個の光学系と２個のＣＣＤ素子によるイメージセンサなどの撮像素子を有し、同一被写体を左右の２つの視点から撮影可能となっている。
【先行技術文献】
【特許文献】
【０００４】
【特許文献１】特開２００８−１６７０６６号公報
【発明の概要】
【発明が解決しようとする課題】
【０００５】
本発明はこのような立体画像の撮影が可能な撮像装置において、外装ケースの温度上昇を防ぐことにより、使用者からの信頼性を高めることを目的とする。
【課題を解決するための手段】
【０００６】
このような目的を達成するために本発明は、イメージセンサを有する撮像ユニットを備えたカメラ本体と、前記カメラ本体を収容する外装ケースとを有する撮像装置であって、前記外装ケースの内面に蓄熱部材を分散させた蓄熱層を形成した構成、または前記外装ケースの内面もしくは外面に中空粒子を分散させた断熱層を形成した構成としたことを特徴とする。
【発明の効果】
【０００７】
本発明によれば、外装ケースの外面の温度上昇を抑制することができ、使用者がデジタルカメラを使用しているときに、周辺温度との温度差から違和感を感じ、製品に対して不信感を抱くおそれが少なくなり、製品に対する信頼性を確保することができる。
【図面の簡単な説明】
【０００８】
【図１】本発明の一実施の形態に係るデジタルカメラの外観を示す正面から見た斜視図
【図２】図１において、前面ケースを外して内部構造を示す斜視図
【図３】図１において、第１の撮像ユニットと第２の撮像ユニット部分を縦方向に切断して示すデジタルカメラの概略構成図
【図４】カメラ本体の動作コントロールを行う回路ブロックの構成を含めて示す概略構成図
【図５】本発明におけるデジタルカメラの概略構成を示す概略図
【図６】その要部構造を示す断面図
【図７】蓄熱層の働きを説明するための説明図
【図８】本発明による効果を説明するための特性図
【図９】本発明の他の実施の形態によるデジタルカメラの要部構造を示す断面図
【図１０】本発明による効果を説明するための特性図
【発明を実施するための形態】
【０００９】
以下、本発明の一実施の形態による撮像装置について、デジタルカメラを例にとって図面を用いて説明する。
【００１０】
図１は本発明の一実施の形態に係るデジタルカメラの外観を示す正面から見た斜視図である。図２は図１において、前面ケースを外して内部構造を示す斜視図である。
【００１１】
図１、図２に示すように、デジタルカメラは、前面ケース１と背面ケース２とからなる外装ケース内に、カメラ本体３を収容することにより構成されている。カメラ本体３は、第１の撮像ユニット４と第２の撮像ユニット５とを有し、これらの第１の撮像ユニット４と第２の撮像ユニット５を所定の間隔をあけて外装ケース内部の金属製のフレーム６に取り付けることにより構成されている。また、カメラ本体３は、デジタルカメラの電源となるバッテリ（図示せず）を収容した電源ブロック７と、カメラ本体３の動作コントロールを行うための回路ブロック８とを備えており、それぞれ外装ケース内の空間に配置されている。ここで、電源ブロック７は、カメラ本体３で使用するための電力を各部に供給するもので、バッテリを収容する以外に、ＡＣ電源から直流電源に変換する電源アダプタが接続される電源端子が配置されている。
【００１２】
また、前記カメラ本体３において、第１の撮像ユニット４は、外装ケースの端部（図１においては右端）に配置され、第２の撮像ユニット５は、外装ケースのほぼ中央部に配置されている。そして、第１の撮像ユニット４は、デジタルカメラの撮影時に常時駆動し、第２の撮像ユニット５は、第１の撮像ユニット４とともに立体画像を撮影する時のみ駆動するように構成されている。
【００１３】
さらに、外装ケースの上面部には、主電源スイッチ９ａやレリーズ釦９ｂからなる操作部９が設けられ、また前面ケース１には、第１の撮像ユニット４と第２の撮像ユニット５の撮影用の窓１ａを開閉するために上下にスライド可能なスライドカバー１０が配置されている。また、前記外装ケースの底面部には、デジタルカメラを三脚や一脚などの支持具に設置する際に使用されるステンレス合金などの金属製の支持具取付部１１が外部に露出するように配置されている。この支持具取付部１１は、前記フレーム６に固定され、前記三脚や一脚などの支持具に固定される部分のみが外装ケースの底面部に露出している。
【００１４】
また、外装ケースを構成する背面ケース２の底面部には、前記電源ブロック７の空間にバッテリを収容するとき、前記空間の外部への開口部を開閉するための開閉蓋１２が設けられている。デジタルカメラの使用者は、前記開閉蓋を開閉することにより、電源ブロック７へのバッテリの着脱を行うことができる。
【００１５】
図３は、図１において、第１の撮像ユニット４と第２の撮像ユニット５部分を縦方向に切断して示すデジタルカメラの概略構成図、図４はカメラ本体３の動作コントロールを行う回路ブロックの構成を含めて示す概略構成図である。
【００１６】
図２、図３に示すように、第１の撮像ユニット４および第２の撮像ユニット５は、前面ケース１の撮影用窓１ａに対向する上部に配置され、被写体の光学像Ａ１を受けるレンズ４１ａ、５１ａと屈曲光学系４１ｂ、５１ｂとからなるレンズユニットと、下部の位置に配置され、前記レンズユニットで受けた光学像を画像データに変換するＣＭＯＳによるイメージセンサ４２、５２と、前記イメージセンサ４２、５２が実装される回路基板４３、５３と、前記レンズユニットとイメージセンサ４２、５２の間に配置されるレンズ群４４、５４および絞りユニット４５、５５と、これらの構成部品を収容するユニット筐体４６、５６により構成されている。
【００１７】
前記レンズユニットは、撮影用窓１ａを通して第１の撮像ユニット４および第２の撮像ユニット５に入射する光学像を前記イメージセンサ４２、５２に導くために、レンズ４１ａ、５１ａと屈曲光学系４１ｂ、５１ｂとを備えている。さらに、前記イメージセンサ４２、５２が実装される回路基板４３、５３には、前記イメージセンサ４２、５２の制御を行うとともに、前記イメージセンサ４２、５２から得られる画像データを処理する回路が実装されている。
【００１８】
図３において、液晶ディスプレイなどにより構成されるカメラモニタ１３は、背面ケース２の後面に配置されている。
【００１９】
次に、図４を用いて、カメラ本体３の回路ブロック８の構成およびその動作を説明する。
【００２０】
イメージセンサ４２、５２は、レンズユニットを介して入射される被写体の光学像を静止画データおよび動画データなどの画像データに変換する。ここで、イメージセンサ４２、５２は、回路基板４３、５３に搭載したタイミング信号発生器１４からのタイミング信号に基づいて動作し、光学像を画像データに変換する。
【００２１】
イメージセンサ４２、５２で変換された画像データは、回路基板４３、５３それぞれに搭載されるＡＤコンバーター１５でデジタル信号に変換され、カメラコントローラー１６に送られて画像処理が施される。ここで言う画像処理とは、例えば、ガンマ補正処理、ホワイトバランス補正処理、キズ補正処理、ＹＣ変換処理、電子ズーム処理、ＪＰＥＧ圧縮処理等である。
【００２２】
前記カメラコントローラー１６は、操作部９からの指示を受けてカメラ本体３の各部を制御する。具体的には、第１の撮像ユニット４および第２の撮像ユニット５を制御するための信号をレンズコントローラー１７に送信するとともに、レンズコントローラー１７から各種信号を受信する。前記レンズコントローラー１７の制御信号に基づいて、駆動部１８は、第１の撮像ユニット４および第２の撮像ユニット５の光学系の各レンズ群（ズームレンズ群、ＯＩＳレンズ群、フォーカスレンズ群）の駆動を行うとともに、絞りユニット４５、５５の制御を行う。絞りユニット４５、５５は、光学系を透過する光の量を調整する光量調整部材である。
【００２３】
ここで、カメラコントローラー１６に接続されたメモリ１９は、前記第１の撮像ユニット４および第２の撮像ユニット５の光学系の各レンズ群および絞りユニット４５、５５の駆動制御を行う場合に、データを一時保存したり、カメラコントローラー１６を制御するプログラムやパラメータを保存するために使用される。
【００２４】
また、カードスロット２０は、メモリーカード２１が着脱自在に装着されるもので、カメラコントローラー１６から送信される制御信号に基づいて、メモリーカード２１を制御し、イメージセンサ４２、５２から得られる静止画データや動画データの書き込み、読出しを行う。さらに、前記カードスロット２０は、外装ケース内において、電源ブロック７が配置された空間に取り付けられており、バッテリを着脱するための開閉蓋１２を開けることにより、メモリーカード２１をカードスロット２０に装填することができるように構成されている。
【００２５】
なお、イメージセンサ４２、５２で生成される静止画データおよび動画データなどの画像データにおいて、動画データは、スルー画像の表示にも用いられる。ここで、スルー画像とは、動画データのうちメモリーカード２１にデータを記録されない画像で、カメラコントローラー１６で画像処理され、動画像または静止画像の構図を決めるためにカメラモニタ１３に表示される。
【００２６】
次に、本発明の特徴とする構成について説明する。
【００２７】
近年では、デジタルカメラにおいては、高画質化や動画撮影対応により、イメージセンサやカメラコントローラーの消費電力が大きくなり、イメージセンサやカメラコントローラーにおける発熱量が大きくなってきている。
【００２８】
上述したように、本発明においては、第１の撮像ユニット４と第２の撮像ユニット５の２つの撮像ユニットを備えており、第１の撮像ユニット４による通常の撮影と、第１の撮像ユニット４と第２の撮像ユニット５の２つの撮像ユニットを使用した立体画像の撮影も可能な構成であり、２つの撮像ユニットを備えていることから、撮像ユニットにおける発熱量が２倍となるとともに、撮影した画像を処理するカメラコントローラー１６における発熱量も従来に比べて大きくなってしまう。
【００２９】
このように発熱量が増加した場合、外装ケースの温度が上昇し、使用者がデジタルカメラを使用しているときに、周辺温度との温度差から違和感を感じ、製品に対して不信感を抱くおそれがある。
【００３０】
図５は本発明におけるデジタルカメラの概略構成を示す図である。図６はその要部構造を示す断面図である。
【００３１】
図５、図６に示すように、本発明においては、外装ケースの内面に、蓄熱部材２２ａを樹脂塗料２２ｂ中に分散させた蓄熱層２２を形成したものである。前記蓄熱部材２２ａとしては、蓄熱マイクロカプセルを使用することができる。
【００３２】
この蓄熱マイクロカプセルとは、図７に示すように、融点が雰囲気温度以上で使用者の体温以下の部材で、所定温度、例えば体温付近３６度で固体から液体に可逆的に相変化する蓄熱物質をマイクロカプセルに封止したものである。蓄熱物質としては、ｎ−パラフィン類や、ＮａＣＨ3ＣＯＯ3Ｈ2Ｏ、ＬｉＮＯ3３Ｈ2Ｏ、ｎ−テトラデカン、ｎ−オクタデカン、ステアリン酸、セチルアルコール、水、Ｎｉ（ＮＯ3）2・６Ｈ2Ｏなどの無機共晶物及び無機系水和物、カプリン酸等の脂肪酸類、ｏ−クレゾール等の芳香族炭化水素化合物、パルミチン酸メチル等のエステル化合物、ラウリルアルコールやミリスチルアルコール、ポリエチレングリコール等のアルコール類の化合物が挙げられ、化学的、物理的に安定なものが用いられる。また、融点の異なる蓄熱材料を２種以上混合してもよい。
【００３３】
市販されている蓄熱部材としては、三菱製紙（株）製の「サーモメモリー」（商品名）がある。
【００３４】
蓄熱部材は、図７に示すように、３６度付近で固形から液体に相変化する際に、潜熱として吸熱反応が生じるため、温度上昇は３６度で平坦となり、全て液体となった段階で、また温度上昇を続ける。
【００３５】
図８は外装ケース内面に蓄熱層を形成したサンプルＡと、蓄熱層のないサンプルＢについて、外装ケース外面の温度の変化を示す図であり、横軸が時間、縦軸が外装ケース外面の温度を示している。なお、図８は蓄熱部材としては、融点が約３６度のものを使用した例である。
【００３６】
図８に示すように、蓄熱層のないサンプルＢの場合、時間経過とともに外装ケースの温度は上昇するが、蓄熱層を形成したサンプルＡの場合、蓄熱物質の融点３６度近傍で、しばらくの間温度上昇はストップし、３６度を保持する。したがって、機器使用時においても、外装ケースの温度が体温以下である時間が延びることとなり、長時間使用しても、不快感を感じるのを抑えることができる。
【００３７】
なお、蓄熱層２２としては、ゲル状の樹脂シート中に蓄熱部材２２ａを分散したシート形状のものであってもよい。
【００３８】
図９は本発明の他の実施の形態を示す図である。
【００３９】
この実施の形態においては、図９に示すように、蓄熱層２２の代わりに、赤外線を遮断する数十ミクロンのセラミック製の中空粒子２３ａを樹脂塗料２３ｂ中に分散させた低熱伝導率（０．０２ｋｃａｌ／ｍｈ℃前後）の断熱層２３を外装ケースの内面に形成したものである。
【００４０】
図１０は外装ケース内面に断熱層を形成したサンプルＡと、断熱層のないサンプルＢについて、外装ケース外面の温度の変化を示す図であり、横軸が時間、縦軸が外装ケース外面の温度を示している。
【００４１】
図１０に示すように、発熱部品からでた輻射熱を遮断して断熱層２３内部の伝熱を少なくでき、外装ケース外面の温度上昇を緩和できる。なお、断熱層２３の塗膜厚さが厚いほど、断熱性能も向上する。この断熱層２３としては、主に建築用塗料として用いられているものを使用することができる。
【００４２】
なお、この断熱層２３は、外装ケースの外面に形成してもよい。
【００４３】
以上のように、イメージセンサを有する第１の撮像ユニット４と第２の撮像ユニット５を備えかつ前記第１の撮像ユニット４と第２の撮像ユニット５を間隔をあけて配置したカメラ本体３と、前記カメラ本体３を収容する外装ケースとを有する撮像装置であって、前記外装ケースの内面に蓄熱部材２２ａを分散させた蓄熱層２２を形成した構成、または前記外装ケースの内面もしくは外面に中空粒子２３ａを分散させた断熱層２３を形成した構成としたもので、外装ケースの外面の温度上昇を抑制することができ、使用者がデジタルカメラを使用しているときに、周辺温度との温度差から違和感を感じ、製品に対して不信感を抱くおそれが少なくなり、製品に対する信頼性を確保することができる。
【産業上の利用可能性】
【００４４】
以上のように本発明によれば、立体画像の撮影が可能な撮像装置の信頼性を高める上で有用な発明である。
【符号の説明】
【００４５】
１  前面ケース
２  背面ケース
３  カメラ本体
４  第１の撮像ユニット
５  第２の撮像ユニット
６  フレーム
７  電源ブロック
８  回路ブロック
９  操作部
１０  スライドカバー
２２  蓄熱層
２２ａ  蓄熱部材
２３  断熱層
２３ａ  中空粒子
【図１】
2014194439.tif 000003
【図２】
2014194439.tif 000004
【図３】
2014194439.tif 000005
【図４】
2014194439.tif 000006
【図５】
2014194439.tif 000007
【図６】
2014194439.tif 000008
【図７】
2014194439.tif 000009
【図８】
2014194439.tif 000010
【図９】
2014194439.tif 000011
【図１０】
2014194439.tif 000012